(57)【特許請求の範囲】
【請求項１】
床面等に設置するベースと、前記ベースに支持された支柱と、前記支柱に回動自在に支持されたアームと、前記アームの先端部に設けられた口腔内吸引装置の吸引管を保持する吸引管保持手段とを有し、前記アームは複数のロッドと前記複数のロッドを貫通して回動自在に支持する支持軸とによって構成され、且つ前記複数のロッドの重みを受けて小さな力で動かすことを可能とするスプリングとを備えた口腔内吸引装置の吸引管の保持装置において、前記複数のロッドは支持軸の軸方向にも動作自在であり、前記支持軸には複数の被挿通部材が軸方向へ動作自在に通されており、且つ前記被挿通部材どうしと、被挿通部材とロッドの側面とを圧接させて摩擦力を発生させる付勢手段を備え、
前記被挿通部材は長さ寸法を変更できるものであり、貫通穴が形成された筒部と、前記筒部に一部が突出する状態で筒部に対し相対的に軸方向へ動作自在に挿入され、且つ支持軸が挿通される挿通穴が形成された突出部と、前記突出部と筒部とを相対的に軸方向へ動作しない状態に固定できる固定手段とから成ることを特徴とする口腔内吸引装置の吸引管の保持装置。
【請求項２】
請求項１に記載した口腔内吸引装置の吸引管の保持装置において、付勢手段の付勢力を調節する付勢力調節手段を備えたことを特徴とする口腔内吸引装置の吸引管の保持装置。
【請求項３】
請求項１または２に記載した口腔内吸引装置の吸引管の保持装置において、付勢手段は筒部に形成された雌ネジと突出部に形成され前記雌ネジに螺合する雄ネジとによって構成されていることを特徴とする口腔内吸引装置の吸引管の保持装置。
【請求項４】
請求項１から３に記載した口腔内吸引装置の吸引管の保持装置において、スプリングの弾性力を調節するスプリング弾性力調節手段を具備したことを特徴とする口腔内吸引装置の吸引管の保持装置。
【発明の詳細な説明】
【技術分野】
【０００１】
本発明は口腔内吸引装置の吸引管の保持装置に係り、特に治療中に術者を補助する者が居なくても、口腔内吸引装置の吸引管を口内に差し入れて保持することができる口腔内吸引装置の吸引管の保持装置に関するものである。
【背景技術】
【０００２】
歯科治療中においては、口腔内吸引装置の吸引管を口腔内に差し入れて溜まった汚液や汚物を吸引して排出している。この吸引管を術者が片方の手で持つと、もう片方の手で治療を行うことになり、その分治療作業が妨げられてしまうことになる。
また、術者を補助する者を置いて、この者が吸引管を手で持って口腔内に差し入れる場合もあるが、吸引管を動かさないように長時間持っている行為は重労働であり、そもそも補助者が居ない場合には対応できない。そこで、特許文献１に記載された口腔内吸引器具及び装置がある。この口腔内吸引器具及び装置は、患者が吸引管に接続された吸引器を噛んで、吸引管を口腔内に保持するものである。
しかしながら、上記従来例に係る口腔内吸引器具及び装置は、患者が吸引器を噛んで、吸引管を口腔内に保持するものであるため、吸引管の位置を変更する場合には患者に噛んでいる吸引器を一旦離してもらい、噛み直してもらわなければならず、位置変更が相当に煩わしいという問題等があった。
【０００３】
この問題点を解決すべく、本出願の出願人による特願２００９−１４０３４７（発明の名称：口腔内吸引装置の吸引管の保持装置）が出願されている。この口腔内吸引装置の吸引管の保持装置は、床面等に設置するベースと、前記ベースに支持された支柱と、前記支柱に回動自在に支持され姿勢変更可能なアームと、前記アームの先端部に基端部が連結されて上下方向に伸び、且つ途中で角度変更可能な支持部と、前記支持部の先端部に取り付けられたピンチとから成ることを特徴とするものであり、
上記アームは、アームを構成するロッド等の重みをコイルスプリングによって受ける構造となっており、コイルスプリングを弾性変形させながらアームを引き伸ばされた状態と折り畳まれた状態とに姿勢変更させることによって、比較的小さな力で動かすことができるようになっている。
【先行技術文献】
【特許文献】
【０００４】
【特許文献１】特開２００６−３４３０５号公報
【発明の概要】
【発明が解決しようとする課題】
【０００５】
しかしながら、上記従来の口腔内吸引装置の吸引管の保持装置は、コイルスプリングを弾性変形させながらアームを引き伸ばされた状態と折り畳まれた状態とに姿勢変更させるため、吸引管を位置変更するためにアームを動かして止めても、止めた位置からアームがコイルスプリングの弾性力によって動いてしまい、吸引管が所望の位置からずれてしまうという問題がある。吸引管は所望の位置から僅かにずれただけでも汚液や汚物を十分に吸引できないため、吸引管を所望の位置にピタッと止めることは極めて重要である。
【０００６】
本発明は上記従来の問題点に着目して為されたものであり、吸引管の位置変更を行うためアームを動かして止めても、アームが止めた位置から動くことがなく吸引管を所望の位置にピタッと止めることができる口腔内吸引装置の吸引管の保持装置を提供することを、その目的とする。
【課題を解決するための手段】
【０００７】
本発明は上記課題を解決するためになされたものであり、請求項１の発明は、床面等に設置するベースと、前記ベースに支持された支柱と、前記支柱に回動自在に支持されたアームと、前記アームの先端部に設けられた口腔内吸引装置の吸引管を保持する吸引管保持手段とを有し、前記アームは複数のロッドと前記複数のロッドを貫通して回動自在に支持する支持軸とによって構成され、且つ前記複数のロッドの重みを受けて小さな力で動かすことを可能とするスプリングとを備えた口腔内吸引装置の吸引管の保持装置において、前記複数のロッドは支持軸の軸方向にも動作自在であり、前記支持軸には複数の被挿通部材が軸方向へ動作自在に通されており、且つ前記被挿通部材どうしと、被挿通部材とロッドの側面とを圧接させて摩擦力を発生させる付勢手段を備え、前記被挿通部材は長さ寸法を変更できるものであり、貫通穴が形成された筒部と、前記筒部に一部が突出する状態で筒部に対し相対的に軸方向へ動作自在に挿入され、且つ支持軸が挿通される挿通穴が形成された突出部と、前記突出部と筒部とを相対的に軸方向へ動作しない状態に固定できる固定手段とから成ることを特徴とする口腔内吸引装置の吸引管の保持装置である。
【０００８】
請求項２の発明は、請求項１に記載した口腔内吸引装置の吸引管の保持装置において、付勢手段の付勢力を調節する付勢力調節手段を備えたことを特徴とする口腔内吸引装置の吸引管の保持装置である。
【００１１】
請求項３の発明は、請求項１または２に記載した口腔内吸引装置の吸引管の保持装置において、付勢手段は筒部に形成された雌ネジと突出部に形成され前記雌ネジに螺合する雄ネジとによって構成されていることを特徴とする口腔内吸引装置の吸引管の保持装置である。
【００１２】
請求項４の発明は、請求項１から３のいずれかに記載した口腔内吸引装置の吸引管の保持装置において、スプリングの弾性力を調節するスプリング弾性力調節手段を具備したことを特徴とする口腔内吸引装置の吸引管の保持装置である。
【発明の効果】
【００１３】
本発明の口腔内吸引装置の吸引管の保持装置では、複数のロッドは支持軸の軸方向にも動作自在であり、前記支持軸には複数の被挿通部材が軸方向へ動作自在に通されており、且つ前記被挿通部材どうしと、被挿通部材とロッドの側面とを圧接させて摩擦力を発生させる付勢手段を備えたので、この摩擦力によって吸引管の位置変更を行うためにアームを動かして止めたときに、アームが止めた位置から動いてしまうのを防止することができる。従って、吸引管を所望の位置にピタッと止めることができる。
【図面の簡単な説明】
【００１４】
【図１】本発明の実施の形態に係る口腔内吸引装置の吸引管の保持装置の斜視図である。
【図２】アームの基端部の連結構造の分解斜視図である。
【図３】アームの基端部の連結構造の分解斜視図である。
【図４】図１の矢印Ａで示す方向から見たアームの基端部の図である。
【図５】アームの中間部の連結構造の分解斜視図である。
【図６】図１の矢印Ｂで示す方向から見たアームの中間部の図である。
【図７】図１の口腔内吸引装置の吸引管の保持装置の動作を説明するための図である。
【発明を実施するための形態】
【００１５】
本発明の実施の形態１に係る口腔内吸引装置の吸引管の保持装置１を図面にしたがって説明する。
符号３はベースを示し、このベース３はＹ字状で後側脚部５と、一対の前側脚部７、９とを有している。後側脚部５はわずかに斜め下方に延びており、先端部が水平になっている。一対の前側脚部７、９はわずかに斜め下方に延びており、途中部分から水平に延びている。一対の前側脚部７、９は後側脚部５よりも長寸法となっていて、一対の前側脚部７、９へより倒れ難い構造になっている。後側脚部５の先端部、一対の前側脚部７、９の先端部にはキャスター１１がそれぞれ取付けられている。一対の前側脚部７、９の先端部にはレバー１３、設置部１５等から成るストッパ機構１２が設けられている。
【００１６】
ベース３には上方向に延びる支柱１７が支持されており、この支柱１７の上端部には連結管１９が取付けられている。この連結管１９の外周面には図示しないネジ穴が形成されており、このネジ穴には押しネジ２１が螺合されている。連結管１９には上方から図示しない取付パイプが挿入されており、この取付パイプは連結管１９に回動自在に支持されている。取付パイプにはボス部２２を有する回動ベース２３が固定されており、この回動ベース２３は押しネジ２１を締めることで任意の位置で固定することができる。
【００１７】
符号２９は支持ベースを示し、この支持ベース２９はネジによって回動ベース２３の上面に取付けられている。
図２に詳細に示すように支持ベース２９は、背面と上面が開口するボックス状に形成されている。支持ベース２９の前板３０の左右両側には上端部から途中部分まで切り込みが形成され、途中部分で前方へ僅かに曲げられており、傾斜部３２が形成されている。この傾斜部３２の内側の面には図示しない弾性材が取り付けられており、この弾性材は、後述するロッド８９、９１が前方向へ回動した際に当接する位置に備えられている。
【００１８】
支持ベース２９の左右の側板３５ａ、３５ｂの上端部の背面開口側の角部には互いに対向する丸穴３６、３８が形成されている。丸穴３８は丸穴３６より大きい径寸法に形成されている。また、左右の側板３５ａ、３５ｂの前板３０寄りの部位に互いに対向する丸穴４０、４２が形成されており、丸穴４０と丸穴４２は同じ径寸法に形成されている。
この支持ベース２９には後述するアーム２１１等が備えられる。
【００１９】
符号３９は支持金具を示し、この支持金具３９はほぼブーメラン形に形成された一対のサイドプレート４１ａ、４１ｂと、サイドプレート４１ａ、４１ｂどうしを連結する連結部４４によって構成されている。サイドプレート４１ａとサイドプレート４１ｂは互いに間隔をあけて対向して配置されている。
一対のサイドプレート４１ａ、４１ｂの先端部にはバネ掛け部４３がそれぞれ設けられており、一対のバネ掛け部４３は右側方と左側方に突出している。これらのバネ掛け部４３には溝４７がそれぞれ形成されている。
また、一対のサイドプレート４１ａ、４１ｂの屈曲部には互いに対向する丸穴４５が形成され、更に基端部には互いに対向する丸穴４６が形成されている。
【００２０】
符号４９、５１、５３は角柱状のロッドを示し、これらのロッド４９、５１、５３の下端部と上端部とには丸穴５５がそれぞれ形成されている。
符号５７ａは挿通穴５６を有するワッシャを示す。ワッシャ５７ａについては同一構造のもので配置位置が異なる場合、５７の後にｂ、ｃ…のアルファベットを付して説明することとする。
符号５９ａはカラーを示し、このカラー５９ａについては同一構造のもので配置位置が異なる場合、５９の後にｂ、ｃ…のアルファベットを付して説明することとする。
【００２１】
カラー５９ａの詳細な構造について説明する。
符号６１は略六角柱状の筒部を示し、この筒部６１には貫通穴６２が形成されており、貫通穴６２の内周面には雌ネジ６３が形成されている。
また、筒部６１には外面から貫通穴６２へ貫通する雌ネジ穴６４が形成されている。
符号６８はボルトから成る突出部を示し、この突出部６８の中心には、後述する支持軸６６等が挿通される挿通穴６７が形成されている。また突出部６８の雄ネジ６９は筒部６１の雌ネジ６３に螺合されており、突出部６８を回すと、突出部６８は軸方向へ動作するようになっている。即ち、突出部６８は筒部６１に一部が突出する状態で取り付けられ、且つ筒部６１に対し相対的に軸方向へ動作自在になっている。
【００２２】
従って、カラー５９ａは長さ寸法を変更でき、また雌ネジ穴６４に螺合した押しネジ６５を回して進行させて、押しネジ６５を突出部６８の雄ネジ６９に押し当てれば、突出部６８と筒部６１とが相対的に軸方向へ動作しないように固定することができる。
付勢手段は筒部６１の雌ネジ６３と突出部６８の雄ネジ６９によって構成され、固定手段は雌ネジ穴６４と押しネジ６５によって構成されている。
【００２３】
符号７０、７１は押圧ワッシャを示し、この押圧ワッシャ７０、７１は円盤部７２と、この円盤部７２に一体に形成されたボス部７３と、円盤部７２、ボス部７３を貫通する挿通穴７４とによって構成されている。
符号６６は支持軸を示し、この支持軸６６の一端部には雄ネジ６６ａが形成され、他端部にはレンチを差し込むための六角穴６６ｂが形成されている。
符号７５は付勢力調節手段としての調節ハンドルを示し、この調節ハンドル７５は把持部７６と、この把持部７６に一体に形成されたボス部７７、更にボス部７７に形成された雌ネジ７９とによって構成されている。
【００２４】
符号８１はスプリングホルダを示し、このスプリングホルダ８１は円盤部８２、この円盤部８２に一体に形成されたボス部８３、円盤部８２に形成された円形凹部８４及び円盤部８２とボス部８３を貫通する挿通穴８５によって構成されている。ボス部８３には付勢手段としてのコイルスプリング８７の一端部が嵌められており、コイルスプリング８７の他端部には押圧ワッシャ７１のボス部７３が嵌められる。
【００２５】
図３において符号８９、９１は角柱状のロッドを示し、これらのロッド８９、９１の下端部と上端部には丸穴９３がそれぞれ形成されている。ロッド８９、９１は互いに間隔をあけて配置される。ロッド８９と支持金具３９との間にはカラー５９ｃが、支持金具３９とロッド９１との間にはカラー５９ｄがそれぞれ備えられる。
符号９４は支持軸を示し、この支持軸９４は支持軸６６と同様に雄ネジ９４ａと六角穴９４ｂを有している。
【００２６】
図２、図４に示すように、支持軸６６は、支持ベース２９の左側板３５ｂの丸穴３６、ワッシャ５７ａの挿通穴５６、ロッド４９の下端部の丸穴５５、カラー５９ａの筒部６１の貫通穴６２、突出部６８の挿通穴６７、支持金具３９のサイドプレート４１ａの丸穴４５、ロッド５１の下端部の丸穴５５、支持金具３９のサイドプレート４１ｂの丸穴４５、カラー５９ｂの突出部６８の挿通穴６７、筒部６１の貫通穴６２、ロッド５３の下端部の丸穴５５、押圧ワッシャ７０の挿通穴７４、支持ベース２９の右側板３５ａの丸穴３８、スプリングホルダ８１の挿通穴８５および押圧ワッシャ７１の挿通穴７４に、この順で挿通されており、そして支持軸６６の雄ネジ６６ａには調節ハンドル７５の雌ネジ７９が螺合されている。
【００２７】
なお、押圧ワッシャ７０のボス部７３は、支持ベース２９の右側板３５ａの丸穴３８に挿通され、この先端部は右側板３５ａから突出しており、この突出した部分はスプリングホルダ８１の円形凹部８４に嵌っている。
ワッシャ５７ａ、カラー５９ａ、支持金具３９、カラー５９ｂ、押圧ワッシャ７０、押圧ワッシャ７１およびスプリングボルダ８１は被挿通部材であり、これらの部材は支持軸６６に対し軸方向へ動作自在に通されている。
【００２８】
符号９９ａは挿通穴１０１を有するワッシャを示す。このワッシャ９９ａについては同一構造のもので配置位置が異なる場合、９９の後にｂ、ｃ…のアルファベットを付して説明することとする。
図３、図４に示すように、支持軸９４はワッシャ９９ａの挿通穴１０１、支持ベース２９の左側板３５ｂの丸穴４０、ワッシャ５７ｂの挿通穴５６、ロッド８９の下端部の丸穴９３、カラー５９ｃの筒部６１の貫通穴６２、突出部６８の挿通穴６７、支持金具３９の一対のサイドプレート４１ａ、４１ｂの丸穴４６、更にカラー５９ｄの突出部６８の挿通穴６７、筒部６１の貫通穴６２、ロッド９１の下端部の丸穴９３、ワッシャ５７ｃの挿通穴５６、支持ベース２９の右側板３５ａの丸穴４２に、この順で挿通されており、この支持軸９４の雄ネジ９４ａ側が右側板３５ａから突出している。支持軸９４の突出部分にはスプリングワッシャ１０３、ワッシャ９９ｂが通されており、更に雄ネジ９４ａには袋ナット１０５が螺合されている。
ワッシャ９９ａ、ワッシャ５７ｂ、カラー５９ｃ、支持金具３９、カラー５９ｄ、ワッシャ５７ｃ、スプリングワッシャ１０３およびワッシャ９９ｂは被挿通部材であり、これらの部材は支持軸９４に対し軸方向へ動作自在に通されている。
【００２９】
カラー５９ａは上述したように突出部６８が筒部６１に対し相対的に軸方向へ動作自在になっていて、その長さ寸法を変更できるので、筒部６１がロッド４９に圧接し、突出部６８がサイドプレート４１ａに圧接するように長さ寸法を調整する。そして、その状態で雌ネジ穴６４に螺合した押しネジ６５を回して進行させて、押しネジ６５を突出部６８の雄ネジ６９に押し当て、突出部６８と筒部６１とを固定する。
カラー５９ｂについても同様にして筒部６１がロッド５３に圧接し、突出部６８がサイドプレート４１ｂに圧接するように長さ寸法を調整して、突出部６８と筒部６１とを固定する。
【００３０】
また、カラー５９ｃについても同様にして筒部６１がロッド８９に圧接し、突出部６８がサイドプレート４１ａに圧接するように長さ寸法を調整して、突出部６８と筒部６１とを固定し、カラー５９ｄについても同様にして筒部６１がロッド９１に圧接し、突出部６８がサイドプレート４１ｂに圧接するように長さ寸法を調整して、突出部６８と筒部６１とを固定する。
カラー５９ａの筒部６１とロッド４９との圧接部、突出部６８とサイドプレート４１ａとの圧接部、カラー５９ｂの筒部６１とロッド５３との圧接部、突出部６８とサイドプレート４１ｂとの圧接部、カラー５９ｃの筒部６１とロッド８９との圧接部、突出部６８とサイドプレート４１ａとの圧接部、カラー５９ｄの筒部６１とロッド９１との圧接部、突出部６８とサイドプレート４１ｂとの圧接部に摩擦力が発生する。
ロッド４９、５１、５３は丸穴５５を貫通する支持軸６６によって、ロッド８９、９１は丸穴９３を貫通する支持軸９４によって回動自在に支持されている。
【００３１】
図１に示すようにロッド８９、９１のほぼ中間部にはバネ掛け支持軸１０７が渡設されている。このバネ掛け支持軸１０７には２本のコイルスプリング１０９の一端部が連結されており、他端部は支持金具３９の溝４７に入り込んだ状態で一対のバネ掛け部４３にそれぞれ連結されている。
【００３２】
図５において符号１１１ａはカラーを示し、このカラー１１１ａの中心には挿通穴１１３が形成されている。また、カラー１１１ａはロッド４９、５１、５３、８９、９１、後述するロッド１４９、１５１、１５３、１５５の一部分が嵌る形状、サイズの凹部１１５が形成されている。カラー１１７ａはカラー１１１ａより長さ寸法が大きく形成されており、挿通穴１１９と、凹部１１５と同様の凹部１２１を有している。
カラー１１１ａについては同一構造のもので配置位置が異なる場合、１１１の後にｂ、ｃ…のアルファベットを付して説明することとする。また、カラー１１７ａについても同様とする。
【００３３】
符号１２３ａ、１２３ｂ一対の支持プレートを示し、この支持プレート１２３ａ、１２３ｂは互いに対向している。支持プレート１２３ａ、１２３ｂには１つの長穴１２５と３つの丸穴１２７、１２９、１３１が形成されており、長穴１２５側の上端部に切り欠き１３３が形成されている。
符号１３５はバネ掛け支持軸を示し、このバネ掛け支持軸１３５の両端部には溝１３７が形成され、更にこのバネ掛け支持軸１３５の中央部分は両端部より太い大径部１３９が形成されている。
【００３４】
符号１４３は保持プレートを示し、この保持プレート１４３は支持プレート１２３ａ、１２３ｂの切り欠き１３３にぴったり嵌る高さ寸法に形成されている。保持プレート１４３の両端部には支持プレート１２３ａ、１２３ｂに嵌る溝１４４がそれぞれ形成されており、また保持プレート１４３の中央には雌ネジ１４５が形成されている。
符号１４６は調節ハンドルを示し、この調節ハンドル１４６は把持部１４６ａと、この把持部１４６ａに一体に形成されたボス部１４６ｂ、更にボス部１４６ｂに設けられた雄ネジ１４６ｃとによって構成されている。
スプリング弾性力調節手段は、調節ハンドル１４６と保持プレート１４３の雌ネジ１４５とによって構成されている。
【００３５】
符号１４９、１５１、１５３、１５５は図１において横方向へ延びるロッドを示し、ロッド１４９、１５１、１５３、１５５の基端部と先端部には丸穴１５７がそれぞれ形成されている。
符号１５８、１５９、１６０は支持軸を示し、これらの支持軸１５８、１５９、１６０は支持軸６６と同様に雄ネジ１５８ａ、１５９ａ、１６０ａと六角穴１５８ｂ、１５９ｂ、１６０ｂをそれぞれ有している。
【００３６】
符号１６１は付勢力調節手段としての調節ハンドルを示し、この調節ハンドル１６１は把持部１６３と、この把持部１６３に一体に形成された大径のボス部１６４と、ボス部１６４に一体に形成された小径のボス部１６５と、更に把持部１６３、ボス部１６４、１６５に形成された雌ネジ１６７とによって構成されている。
符号１７１はスプリングホルダを示し、このスプリングホルダ１７１は円盤部１７３、この円盤部１７３に一体に形成されたボス部１７５及び円盤部１７３とボス部１７５を貫通する挿通穴１７７によって構成されている。ボス部１７５にはコイルスプリング８７の一端部が嵌められており、このコイルスプリング８７の他端部には調節ハンドル１６１の小径のボス部１６５が嵌められる。
【００３７】
図５、図６に示すように、支持軸１５８はワッシャ９９ｃの挿通穴１０１、カラー１１１ａの挿通穴１１３、ロッド４９の上端部の丸穴５５、カラー１１７ａの挿通穴１１９、支持プレート１２３ａの丸穴１２７、ワッシャ５７ｉの挿通穴５６、ロッド５１の上端部の丸穴５５、ワッシャ５７ｊの挿通穴５６、更にもう一つの支持プレート１２３ｂの丸穴１２７、カラー１１７ｂの挿通穴１１９、ロッド５３の上端部の丸穴５５、カラー１１１ｂの挿通穴１１３、ワッシャ９９ｄの挿通穴１０１に通されており、支持軸１５８の雄ネジ１５８ａには袋ナット１０５が螺合されている。
【００３８】
ロッド４９の一部分にはカラー１１１ａの凹部１１５とカラー１１７ａの凹部１２１が嵌っており、このカラー１１７ａの凹部１２１が形成された面とは反対側の面は支持プレート１２３ａに当接している。
また、ロッド５３の一部分にはカラー１１１ｂの凹部１１５とカラー１１７ｂの凹部１２１が嵌っており、このカラー１１７ｂの凹部１２１が形成された面とは反対側の面は支持プレート１２３ｂに当接している。
ロッド４９、５１、５３は支持軸１５８によって支持プレート１２３ａ、１２３ｂに対し回動自在に支持されている。
【００３９】
支持軸１５９は、ワッシャ５７ｈの挿通穴５６、ロッド８９の上端部の丸穴９３、カラー１１１ｃの挿通穴１１３、カラー１１１ｄの挿通穴１１３、ロッド１４９の基端部の丸穴１５７、カラー１１７ｃの挿通穴１１９、支持プレート１２３ａの丸穴１２９、ワッシャ５７ｄの挿通穴５６、ロッド１５１の基端部の丸穴１５７、ワッシャ５７ｅの挿通穴５６、支持プレート１２３ｂの丸穴１２９、カラー１１７ｄの挿通穴１１９、ロッド１５３の基端部の丸穴１５７、カラー１１１ｅの挿通穴１１３、カラー１１１ｆの挿通穴１１３、ロッド９１の上端部の丸穴９３、ワッシャ５７ｆの挿通穴５６、スプリングホルダ１７１の挿通穴１７７に挿通されており、この支持軸１５９の雄ネジ１５９ａには調節ハンドル１６１の雌ネジ１６７が螺合されている。
【００４０】
ロッド８９の一部分にはカラー１１１ｃの凹部１１５が嵌っており、ロッド１４９の一部分にはカラー１１１ｄの凹部１１５とカラー１１７ｃの凹部１２１が嵌っている。カラー１１１ｃとカラー１１１ｄは、平坦面（凹部１１５が形成されている面とは反対側の面）どうしが当接している。カラー１１７ｃは平坦面（凹部１２１が形成された面とは反対側の面）が支持プレート１２３ａに当接している。
また、ロッド１５３の一部分にはカラー１１７ｄの凹部１２１とカラー１１１ｅの凹部１１５が嵌っており、ロッド９１の一部分にはカラー１１１ｆの凹部１１５が嵌っている。カラー１１７ｄは支持プレート１２３ｂに当接しており、上記カラー１１１ａとカラー１１１ｂと同様にカラー１１１ｅと１１１ｆは互いに当接している。
【００４１】
ワッシャ５７ｈ、カラー１１１ｃ、カラー１１１ｄ、カラー１１７ｃ、支持プレート１２３ａ、ワッシャ５７ｄ、ワッシャ５７ｅ、支持プレート１２３ｂ、カラー１１７ｄ、カラー１１１ｅ、カラー１１１ｆ、ワッシャ５７ｆ及びスプリングホルダ１７１が被挿通部材であり、これらの部材は支持軸１５９に対し軸方向へ動作自在に通されている。
ロッド８９、９１、１４９、１５１、１５３は支持軸１５９によって支持プレート１２３ａ、１２３ｂに対し回動自在に支持されている。
【００４２】
支持軸１６０はワッシャ９９ｅの挿通穴１０１、支持プレート１２３ａの丸穴１３１、ワッシャ５７ｉの挿通穴５６、ロッド１５５の基端部の丸穴１５７、ワッシャ５７ｇの挿通穴５６、更にもう一つの支持プレート１２３ｂの丸穴１３１、ワッシャ９９ｆの挿通穴１０１に挿通されており、この支持軸１６０の雄ネジ１６０ａには袋ナット１０５が螺合されている。
ロッド１５５は支持軸１６０によって支持プレート１２３ａ、１２３ｂに対し回動自在に支持されている。
【００４３】
バネ掛け支持軸１３５は一対の支持プレート１２３ａ、１２３ｂの長穴１２５に挿通され、その両端部が一対の支持プレート１２３ａ、１２３ｂから突出しており、バネ掛け支持軸１３５の溝１３７は支持プレート１２３ａ、１２３ｂの外側に位置している。
調節ハンドル１４６の雄ネジ１４６ｃは保持プレート１４３の雌ネジ１４５に螺合され、雄ネジ１４６ｃの先端部はバネ掛け支持軸１３５の大径部１３９に回動自在に取り付けられている。
【００４４】
ロッド１５１のほぼ中間部の側面にはフランジを有するバネ掛け部２０１がそれぞれ設けられており、これらのバネ掛け部２０１にはコイルスプリング２０３の一端部がそれぞれ連結されている。コイルスプリング２０３の他端部は、溝１３７に入り込んだ状態でバネ掛け支持軸１３５に連結されている。
【００４５】
符号２０５は連結金具を示し、この連結金具２０５は一対設けられており、連結金具２０５の基端部には図示しない二つの丸穴が形成されている。
符号２０７は支持軸としてのピンを示し、このピン２０７はロッド１４９の先端部の丸穴、連結金具２０５の基端部の丸穴、ロッド１５１の先端部の丸穴、もう一つの連結金具２０５の基端部の丸穴、ロッド１５３の先端部の丸穴に挿通されて備えられている。
ロッド１４９、１５１、１５３はピン２０７によって連結金具２０５に対し回動自在に支持されている。
【００４６】
符号２０９は支持軸としてのピンを示し、このピン２０９は連結金具２０５の基端部の丸穴、ロッド１５５の先端部の丸穴１５７、もう一つの連結金具２０５の基端部の丸穴に挿通されて備えられている。
ロッド１５５はピン２０７によって連結金具２０５に対し回動自在に支持されている。
アーム２１１は支持金具３９、ロッド４９、５１、５３、８９、９１、１４９、１５１、１５３、１５５、支持軸６６、９４、１５８、１５９、１６０、支持プレート１２３ａ、１２３ｂ、ピン２０７、２０９及び連結金具２０５によって構成されている。このアーム２１１は支持ベース２９、回動ベース２３等を介して支柱１７に回動自在に支持されている。
【００４７】
一対の連結金具２０５によってフレキシブルパイプ２１３の上端部が挟持されて固定されており、フレキシブルパイプ２１３の下端部にはボールジョイント２１５が備えられている。ボールジョイント２１５はフレキシブルパイプ２１３に連結された本体部２１７と、本体部２１７に備えられた押しネジ２１９と、本体部２１７に回動自在に支持されたボール２２１と、ボール２２１に一体に形成された軸２２３とから成っている。押しネジ２１９を締めるとボール２２１がロックされ、後述する吸引管Ｐを所望の角度で保持できるようになっている。
【００４８】
ボールジョイント２１５の軸２２３の先端部には吸引管保持手段としてのピンチ２２５が取付けられており、このピンチ２２５には口腔内吸引装置の吸引管Ｐが挟持される。
符号２２７はレバーを示し、このレバー２２７は一対の連結金具２０５の先端部に固定されている。
【００４９】
次に口腔内吸引装置の吸引管の保持装置１の使用方法について説明する。
図７（ａ）に示すようにコイルスプリング１０９はロッド８９等の重みを受け、コイルスプリング２０３はロッド１５１等の重みを受けている。従って、これらのコイルスプリング１０９、２０３を弾性変形させながらアーム２１１を引き伸ばされた状態と折り畳まれた状態とに姿勢変更させることによって、比較的小さな力でアーム２１１を動かすことができる。
【００５０】
口腔内吸引装置の吸引管の保持装置１のコイルスプリング２０３、コイルスプリング８７の付勢力の調節方法について説明する。
まず、レバー２２７を持ってアーム２１１を使用頻度が高い姿勢の範囲の中間位置、例えばアーム２１１を図７（ａ）の姿勢と（ｂ）の姿勢の範囲で使用する頻度が高い場合、アーム２１１を図７（ａ）の姿勢と（ｂ）の中間位置となる状態とする。この状態で調節ハンドル１４６を回して保持プレート１４３の雌ネジ１４５に螺合する雄ネジ１４６ｃと共にバネ掛け支持軸１３５を長穴１２５内において進行後退させ、これによりコイルスプリング２０３の弾性力を、ロッド１４９、１５１、１５３、１５５、連結金具２０５、ボールジョイント２１５等の荷重より僅かに勝つ状態に調節する。すなわち、コイルスプリング２０３がロッド１４９、１５１、１５３、１５５、連結金具２０５、ボールジョイント２１５等をやや持ち上げる状態となるように、コイルスプリング２０３の弾性力を調節する。
【００５１】
上記のようにコイルスプリング２０３がロッド１４９、１５１、１５３、１５５等をやや持ち上げる状態では、ロッド１４９はカラー１１１ｄの凹部１１５と１１７ｃの凹部１２１の図５において上側の内面に圧接させられてガタの発生が抑えられる。ロッド１５３についても同様にカラー１１１ｅの凹部１１５と１１７ｄの凹部１２１の図５において上側の内面に圧接させられてガタの発生が抑えられる。
【００５２】
上述のようにコイルスプリング２０３がロッド１４９、１５１、１５３、１５５、連結金具２０５、ボールジョイント２１５等をやや持ち上げる状態となるように、コイルスプリング２０３の弾性力を調節してから、調節ハンドル１６１を回して、ロッド８９、１４９等の回動動作の抵抗となる摩擦力の調節を行う。この摩擦力は例えばアーム２１１を図７（ａ）の姿勢と（ｂ）の姿勢の範囲で動作させる際にコイルスプリング２０３の弾性力が変化しても、後述するようにロッド１４９、１５１、１５３、１５５等を回動させて、吸引管Ｐが所望の位置にくるように止めた際に、コイルスプリング２０３の弾性力によって、その止めた位置から動かない大きさとなるように調整する。すなわち、コイルスプリング２０３の弾性力が変化によってロッド１４９、１５１、１５３、１５５等が上記所望の位置から動くのを抑える大きさの摩擦力を発生できるように調節ハンドル１６１を回して、ロッド８９、１４９等の回動動作の抵抗となる摩擦力の調節を行う。
【００５３】
調節ハンドル１６１を操作することによって、次のようにして摩擦力が発生する。
調節ハンドル１６１を回して、調節ハンドル１６１をスプリングホルダ１７１の方向へ進行させると、ボス部１６４によってコイルスプリング８７が押されて圧縮されてコイルスプリング８７の付勢力が大きくなる。この付勢力はスプリングホルダ１７１、ワッシャ５７ｆ、ロッド９１、カラー１１１ｆ、カラー１１１ｅ、ロッド１５３、カラー１１７ｄ、支持プレート１２３ｂ、ワッシャ５７ｅ、ロッド１５１、ワッシャ５７ｄ、支持プレート１２３ａ、カラー１１７ｃ、ロッド１４９、カラー１１１ｄ、カラー１１１ｃ、ロッド８９及びワッシャ５７ｈの順で伝えられる。
【００５４】
これにより、隣り合う各部材どうしが圧接させられて、各部材どうしの圧接部であるスプリングホルダ１７１の円盤部１７３とワッシャ５７ｆ、ワッシャ５７ｆとロッド９１、カラー１１１ｆとカラー１１１ｅ、カラー１１７ｄと支持プレート１２３ｂ等との各圧接部に、ロッド８９、１４９等の回動動作の抵抗となる摩擦力が発生する。このように圧接部を複数設けているので、圧接面積を確保できて十分な摩擦力を得ることができる。
なお、調節ハンドル１６１をスプリングホルダ１７１から離れる方向へ後退させれば、上記付勢力は弱くなり、上記摩擦力は低下する。
【００５５】
また、調節ハンドル７５を回し、調節ハンドル１６１と同様にしてロッド８９、１４９等の回動動作の抵抗となる摩擦力の調節を行う。
調節ハンドル７５を操作することによって、次のようにして摩擦力が発生する。
調節ハンドル７５を締めてスプリングホルダ８１の方向へ進行させると、押圧ワッシャ７１によってコイルスプリング８７が押されて圧縮されてコイルスプリング８７の付勢力が増大する。この付勢力は、スプリングホルダ８１、に伝えられ、更にスプリングホルダ８１の円盤部８２、支持ベース２９の右側板３５ａ、押圧ワッシャ７０、ロッド５３、カラー５９ｂ、ロッド５１、カラー５９ａ、ロッド４９、ワッシャ５７ａの順で伝えられる。
これにより、隣り合う各部材どうしが圧接させられて、各部材どうし圧接部であるスプリングホルダ８１の円盤部８２と支持ベース２９の右側板３５ａ、押圧ワッシャ７０の円盤部７２とロッド５３、ロッド５３とカラー５９ｂ、カラー５９ｂとロッド５１等の各圧接部にロッド４９、５１、５３等の回動動作の抵抗となる摩擦力が発生する。このように、圧接部を複数設けているので、圧接面積を確保できて十分な摩擦力を得ることができる。
【００５６】
また、ロッド４９、５１、５３等を回動させるための操作を行うのに重い場合には、調節ハンドル７５、１６１を回して、コイルスプリング８７の付勢力を小さくして、摩擦力を小さくする。
【００５７】
治療中に吸引管Ｐを位置変更する方法について説明する。
手でレバー２２７を引いてコイルスプリング１０９、２０３を弾性変形させながらアーム２１１を動かし、吸引管Ｐが所望の位置にきたところで止める。この状態では図７（ｂ）に示すようにコイルスプリング１０９、２０３は伸びた状態となり、コイルスプリング１０９、２０３の弾性力はアーム２１１を動かす前よりも大きくなるが、前述したようにコイルスプリング８７の付勢力によってカラー５９ａ等をロッド４９の側面等に圧接させて、ロッド４９等の回動動作に対する摩擦力を増大させている。またコイルスプリング８７の付勢力によって、カラー１１１ｃ等をロッド８９の側面等に圧接させて、ロッド８９、１４９等の回動に対する摩擦力を増大させているので、この状態でレバー２２７から手を放してもアーム２１１はそのままの姿勢で保持される。
【００５８】
このように、摩擦力によって吸引管Ｐの位置変更を行うためにアーム２１１を動かして止めたときに、アーム２１１が止めた位置から動いてしまうのを防止することができる。従って、吸引管Ｐを所望の位置にピタッと止めることができる。
【００５９】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、カラー５９ａ等の長さ寸法を変更できるように筒部６１と突出部６８によってカラー５９ａ等を構成したが、長さ寸法を変更できない構成としてもよい。
上記実施の形態では、付勢手段をコイルスプリング８７によって構成したが、付勢手段を板バネ等によって構成してもよい。
また、カラー５９ａ、１１１ａ、１１７ａ等の個数を適宜変更してもよい。
【産業上の利用可能性】
【００６０】
本発明は医療用装置の製造業に利用可能である。
【符号の説明】
【００６１】
１…口腔内吸引装置の吸引管の保持装置      ３…ベース
５…後側脚部      ７、９…前側脚部      １１…キャスター
１３…レバー      １５…設置部      １７…支柱
１９…連結管      ２１…押しネジ      ２２…ボス部
２３…回動ベース      ２９…支持ベース      ３０…前板
３２…傾斜部      ３５ａ、３５ｂ…左右の側板      ３６、３８…丸穴
４０、４２…丸穴      ３９…支持金具
４１ａ、４１ｂ…サイドプレート      ４３…バネ掛け部
４４…連結部      ４５…丸穴      ４６…丸穴
４７…溝      ４９、５１、５３…ロッド      ５５…丸穴
５６…挿通穴  
５７ａ、５７ｂ、５７ｃ、５７ｄ、５７ｅ、５７ｆ、５７ｇ…ワッシャ
５９ａ、５９ｂ、５９ｃ、５９ｄ…カラー
６１…筒部      ６２…貫通穴      ６３…雌ネジ
６４…雌ネジ穴      ６５…押しネジ
６６…支持軸      ６６ａ…雄ネジ      ６６ｂ…六角穴
６７…挿通穴      ６８…突出部      ６９…雄ネジ
７０、７１…押圧ワッシャ      ７２…円盤部
７３…ボス部      ７４…挿通穴      ７５…調節ハンドル
７６…把持部      ７７…ボス部      ７９…雌ネジ
８１…スプリングホルダ      ８２…円盤部      ８３…ボス部
８４…円形凹部      ８５…挿通穴      ８７…コイルスプリング
８９、９１…ロッド      ９３…丸穴
９４…支持軸      ９４ａ…雄ネジ      ９４ｂ…六角穴
９９ａ、９９ｂ、９９ｃ、９９ｄ、９９ｅ、９９ｆ…ワッシャ
１０１…挿通穴      １０３…スプリングワッシャ
１０５…袋ナット      １０７…バネ掛け支持軸
１０９…コイルスプリング
１１１ａ、１１１ｂ、１１１ｃ、１１１ｄ、１１１ｅ、１１１ｆ…カラー
１１３…挿通穴      １１５…凹部
１１７ａ、１１７ｂ、１１７ｃ、１１７ｄ…カラー
１１９…挿通穴
１２１…凹部      １２３ａ、１２３ｂ…支持プレート      １２５…長穴
１２７、１２９、１３１…丸穴    １３３…切り欠き
１３５…バネ掛け支持軸      １３７…溝      １３９…大径部
１４３…保持プレート      １４４…溝      １４５…雌ネジ
１４６…調節ハンドル    １４６ａ…把持部
１４６ｂ…ボス部      １４６ｃ…雄ネジ
１４９、１５１、１５３、１５５…ロッド      １５７…丸穴
１５８、１５９、１６０…支持軸
１５８ａ、１５９ａ、１６０ａ…雄ネジ
１５８ｂ、１５９ｂ、１６０ｂ…六角穴
１６１…調節ハンドル      １６３…把持部      １６４、１６５…ボス部
１６７…雌ネジ部      １７１…スプリングホルダ      １７３…円盤部
１７５…ボス部      １７７…挿通穴
２０１…バネ掛け部      ２０３…コイルスプリング      ２０５…連結金具
２０７、２０９…ピン      ２１１…アーム
２１３…フレキシブルパイプ      ２１５…ボールジョイント
２１７…本体部      ２１９…押しネジ      ２２１…ボール
２２３…軸      ２２５…ピンチ      ２２７…レバー
Ｐ…口腔内吸引装置の吸引管
【図１】
0005529575.tif 000002
【図２】
0005529575.tif 000003
【図３】
0005529575.tif 000004
【図４】
0005529575.tif 000005
【図５】
0005529575.tif 000006
【図６】
0005529575.tif 000007
【図７】
0005529575.tif 000008